(57)【要約】【課題】同一チャンネルの連続して放映される番組を録画する場合に、録画されない部分がなく、かつそれぞれの番組の番組情報を取得すること。【解決手段】実施形態によれば、番組記録装置は、番組プロバイダから送信された放送ストリームを受信する受信モジュールと、前記放送ストリームに基づいた番組データを記録装置に記録する記録手段であって、前記プロバイダから送信され、放映時間帯が連続する複数の番組を記録する場合に、前記複数の番組を含む一つの番組データを前記記録装置に記録する、番組記録手段と、前記複数の番組に対応する複数の番組情報を取得する、番組情報取得手段と、前記複数の番組の各放映時間に基づいて前記一つの番組データを分割することによって、複数の番組に対応する複数の番組データを生成する生成手段と、前記複数の番組データと前記複数の番組情報とを関連づける情報を生成する生成手段と、を具備する。【選択図】    図１
2013051634.tif 000002
【特許請求の範囲】
【請求項１】
番組プロバイダから送信された放送ストリームを受信する受信モジュールと、
前記放送ストリームに基づいた番組データを記録装置に記録する記録手段であって、前記番組プロバイダから送信され、放映時間帯が連続する複数の番組を記録する場合に、前記複数の番組を含む一つの番組データを前記記録装置に記録する、番組記録手段と、
前記複数の番組に対応する複数の番組情報を取得する、番組情報取得手段と、
前記複数の番組の各放映時間に基づいて前記一つの番組データを分割することによって、複数の番組に対応する複数の番組データを生成する生成手段と、
前記複数の番組データと前記複数の番組情報とを関連づける情報を生成する生成手段と、
を具備する番組記録装置。
【請求項２】
前記番組プロバイダから送信される番組を予約録画するための予約録画情報が登録され、前記予約録画情報に応じて予約録画を行なうために前記記録手段を制御する予約録画部と、
前記予約録画情報が第１の番組の予約録画を行うための第１の予約録画情報を含む場合、前記予約録画情報が前記第１の番組の後に前記番組プロバイダから送信される第２の番組を予約録画するための第２の予約録画情報を含むかを判定する判定手段と、
前記予約録画情報が前記第２の予約録画情報を含むと判定した場合、前記第１の予約録画情報と前記第２の予約録画情報を削除し、前記第１の番組と前記第２の番組とを予約録画するための第３の予約録画情報を前記予約録画情報に登録する予約録画情報変更手段と、
をさらに具備する番組記録装置。
【請求項３】
前記判定手段は、前記第１の番組の開始時間の設定された時間の前に、前記予約録画情報が前記第１の番組の後に前記番組プロバイダから送信される第２の番組を予約録画するための第２の予約録画情報を含むかを判定する
請求項２に記載の番組記録装置。
【請求項４】
録画操作に応じて、前記録画操作されてから所定の時間の期間に前記番組プロバイダから送信された放送ストリームに含まれる番組を前記記録装置に記録するように、前記記録手段を制御する記録制御手段と、
前記所定の時間の期間に前記番組プロバイダから送信される第１の放送ストリームに複数の番組が含まれるかを判定する判定手段とをさらに具備し、
前記生成手段は、前記判定手段が前記第１の放送ストリーム内に複数の番組が含まれると判定した場合に、前記複数の番組の各放映時間に基づいて前記一つの番組データを分割することによって、複数の番組に対応する複数の番組データを生成する
請求項１に記載の番組記録装置。
【請求項５】
番組プロバイダから送信された放送ストリームを受信し、前記放送ストリームに基づいた番組データを記録装置に記録する記録手段を具備する番組記録装置の番組記録方法であって、
前記番組プロバイダから送信され、放映時間帯が連続する複数の番組を記録する場合に、前記複数の番組を含む一つの番組データを記録装置に記録する、
前記複数の番組に対応する複数の番組情報を取得し、
前記複数の番組の各放映時間に基づいて前記一つの番組データを分割することによって、複数の番組に対応する複数の番組データを生成し、
前記複数の番組データと前記複数の番組情報とを関連づける情報を録画番組管理情報に登録する、
を具備する番組記録方法。
【請求項６】
前記番組記録装置は前記番組プロバイダから送信される番組を予約録画するための予約録画情報が登録され、前記予約録画情報に応じて予約録画を行なうために前記記録手段を制御する予約録画部をさらに具備し、
前記予約録画情報が第１の番組の予約録画を行うための第１の予約録画情報を含む場合、前記予約録画情報が前記第１の番組の後に前記番組プロバイダから送信される第２の番組を予約録画するための第２の予約録画情報を含むかを判定し、
前記予約録画情報が前記第２の予約録画情報を含むと判定した場合、前記第１の予約録画情報と前記第２の予約録画情報を削除し、前記第１の番組と前記第２の番組とを予約録画するための第３の予約録画情報を前記予約録画情報に登録する、
請求項５に記載の番組記録方法。
【請求項７】
前記第１の番組の開始時間の設定された時間の前に、前記予約録画情報が前記第１の番組の後に前記番組プロバイダから送信される第２の番組を予約録画するための第２の予約録画情報を含むかを判定する
請求項６に記載の番組記録方法。
【請求項８】
前記番組記録装置は、録画操作に応じて、前記録画操作されてから所定の時間の期間に前記番組プロバイダから送信された放送ストリームに含まれる番組を前記記録装置に記録するように、前記記録手段を制御する記録制御手段をさらに具備し、
前記所定の時間の期間に前記番組プロバイダから送信される第１の放送ストリームに複数の番組が含まれるかを判定し、
前記判定手段が前記第１の放送ストリーム内に複数の番組が含まれると判定した場合に、前記複数の番組の各放映時間に基づいて前記一つの番組データを分割することによって、複数の番組に対応する複数の番組データを生成する
請求項５に記載の番組記録方法。
【発明の詳細な説明】
【技術分野】
【０００１】
本発明の実施形態は、放送番組を記録する番組記録装置および番組記録方法に関する。
【背景技術】
【０００２】
近年、テレビ番組をＨＤＤ（Hard Disk Drive）に記録する録画装置が普及している。放映時間帯が連続するテレビ番組を同一チューナによって受信して、ＨＤＤに記録する場合、初めの番組の最後や、後の番組の最初又はその両方が少し切れてしまう。
【０００３】
ところで、テレビ番組間にテレビコマーシャルが流されない、ステーションブレイクレス編成が行われることがある。また、日本放送協会ではテレビコマーシャルが流されない。
【０００４】
ステーションブレイクレス編成の番組や日本放送協会の番組の場合、番組の終わりには重要な告知がおこなわれることがあるが、告知が記録されない可能性がある。また、録画終了時間を後続の番組の時間に合わせると後続の番組の番組情報が記録されないことになる。
【先行技術文献】
【特許文献】
【０００５】
【特許文献１】特開２００８−１１３３４２号公報
【発明の概要】
【発明が解決しようとする課題】
【０００６】
同一チャンネルの連続して放映される番組を別個に録画した場合、録画されない部分が発生する。また、同一チャンネルの連続して放映される番組をまとめて録画した場合、後続の番組の番組情報が記録されない。
【０００７】
本発明の目的は、同一チャンネルの連続して放映される番組を録画する場合に、録画されない部分がなく、かつそれぞれの番組の番組情報を取得することが可能な番組記録装置および番組記録方法を提供することにある。
【課題を解決するための手段】
【０００８】
実施形態によれば、番組記録装置は、受信モジュールと、番組記録手段と、番組情報取得手段と、生成手段と、生成手段と、を具備する。受信モジュールは、番組プロバイダから送信された放送ストリームを受信する。番組記録手段は、前記放送ストリームに基づいた番組データを記録装置に記録する。番組記録手段は、前記番組プロバイダから送信され、放映時間帯が連続する複数の番組を記録する場合に、前記複数の番組を含む一つの番組データを前記記録装置に記録する。番組情報取得手段は、前記複数の番組に対応する複数の番組情報を取得する。生成手段は、前記複数の番組の各放映時間に基づいて前記一つの番組データを分割することによって、複数の番組に対応する複数の番組データを生成する。生成手段は、前記複数の番組データと前記複数の番組情報とを関連づける情報を生成する。
【図面の簡単な説明】
【０００９】
【図１】実施形態の番組記録装置の構成の一例を示すブロック図である。
【図２】同一チャンネルの番組Ａと番組Ｂとが連続している状態を示す図である。
【図３】手動録画時に録画開始時から自動録画停止時までに番組Ａと番組Ｂとが存在する状態を示す図である。
【図４】番組Ａと番組Ｂとを一つの映像ファイルとして記録した状態を示す図である。
【図５】図４に示す一つの映像ファイルを分割した状態を示す図である。
【図６】録画番組データベースに番組Ａの番組情報Ａの格納場所を示すデータと映像ファイルＡの格納場所を示すデータとを関連づけられた情報と、番組Ｂの番組情報Ｂの格納場所を示すデータと第２の映像ファイルＢの格納場所を示すデータとを関連づけた情報を録画番組データベースに登録した状態を示す図。
【図７】予約録画時の処理の手順を示すフローチャート。
【図８】手動録画時の処理の手順を示すフローチャート。
【発明を実施するための形態】
【００１０】
以下、実施の形態について図面を参照して説明する。
【００１１】
図１は、この実施の形態で説明する番組記録装置の概要を示している。図１に示す記録再生装置は、情報記録媒体として、ＤＶＤ等の光ディスクとハードディスクとの双方を取り扱うことができる装置として示しているが、情報記録媒体としては、例えば半導体メモリ等に置換されてもよいものである。
【００１２】
図１において、各ブロックを大きく分けると、左側には記録制御部１８Ｄの主なブロックを示し、右側には再生部の主なブロックを示している。
【００１３】
図１に示す記録再生装置は、ディスクドライブ部１１とＨＤＤ部１２との２種類のディスクドライブを有する。まず、ディスクドライブ部１１は、ビデオファイルを構築できる情報記録媒体である第１のメディアとしての光ディスク１３を回転駆動し、情報の読み書きを実行する。ディスクドライブ部１１は、光ディスク１３に対する回転制御系、レーザ駆動系、光学系等を有する。また、ＨＤＤ部１２は、第２のメディアとしてのハードディスク１４を駆動する。
【００１４】
データプロセッサ部１５は、ディスクドライブ部１１及びＨＤＤ部１２に記録データを供給することができ、また、再生された信号を受け取ることができる。データプロセッサ部１５は、記録または再生単位のデータを取り扱うもので、バッファ回路、変調・復調回路、エラー訂正部等を含む。
【００１５】
また、図１に示す記録再生装置は、記録側を構成するエンコーダ部１６と、再生側を構成するデコーダ部１７と、装置本体の動作を制御するマイクロコンピュータブロック１８とを主たる構成要素としている。エンコーダ部１６は、トランスポートストリーム処理部及び複数のエンコーダを含む。
【００１６】
エンコーダ部１６は、基本的には入力されたアナログビデオ信号やアナログオーディオ信号をデジタル化するビデオ用及びオーディオ用のアナログデジタルコンバータと、ビデオエンコーダと、オーディオエンコーダとを有する。
【００１７】
エンコーダ部１６からのエンコード出力は、バッファメモリ１９を含むフォーマッタ２０にて所定のＤＶＤ−ＲＡＭ（random access memory）のフォーマットに変換され、先のデータプロセッサ部１５に供給される。なお、トランスポートストリームから抽出したパケットエレメンタリーストリームが、エンコーダ部１６から直接ＨＤＤ部１２のハードディスク１４に記録される場合もある。
【００１８】
エンコーダ部１６には、スイッチ２１を介して、Ａ／Ｖ（audio／video）入力部２２から得られる外部アナログビデオ信号と外部アナログオーディオ信号とを入力することができる。
【００１９】
また、エンコーダ部１６には、スイッチ２１を介して、地上波デジタルチューナ２４、衛星ＢＳ（broadcasting satellite）／ＣＳ（communication satellite）チューナ２５からの受信信号を選択的に入力することができる。
【００２０】
そして、エンコーダ部１６で複数のエンコーダが活用される場合、地上波デジタルチューナ２４で受信した番組（放送ストリーム）をＨＤＤ部１２で記録し、同時に、衛星ＢＳ／ＣＳチューナ２５で受信した番組を視聴することも可能である。
【００２１】
なお、エンコーダ部１６は、圧縮されたデジタルビデオ信号やデジタルオーディオ信号が直接入力されるときは、圧縮デジタルビデオ信号やデジタルオーディオ信号を直接フォーマッタ２０に供給することもできる。また、エンコーダ部１６は、アナログデジタル変換されたデジタルビデオ信号やオーディオ信号を、ビデオミキシング部２７やオーディオセレクタ２８に直接供給することもできる。
【００２２】
エンコーダ部１６に含まれるＭＰＥＧ（moving picture experts group）ビデオエンコーダでは、デジタルビデオ信号はＭＰＥＧ２またはＭＰＥＧ１規格に基づいた可変ビットレートで圧縮されたデジタルビデオ信号に変換される。
【００２３】
デジタルオーディオ信号は、ＭＰＥＧまたはＡＣ（audio compression）−３規格に基づいて固定ビットレートで圧縮されたデジタルオーディオ信号、あるいはリニアＰＣＭ（pulse code modulation）のデジタルオーディオ信号に変換される。
【００２４】
エンコードされたデジタルビデオ信号、デジタルオーディオ信号は、フォーマッタ２０にてパック化され、ビデオパック、オーディオパックとなり、さらに、これらが集合されて、ＤＶＤ−ビデオ規格で規定されたフォーマット（ＤＶＤ Ｖｉｄｅｏフォーマット）や、ＤＶＤ−レコーディング規格で規定されたフォーマット（ＤＶＤ ＶＲフォーマット）に変換される。フォーマッタ２０は、上記の変換処理のときに、バッファメモリ１９も利用している。
【００２５】
図１に示す記録再生装置は、フォーマッタ２０でフォーマット化された情報（ビデオ、オーディオ等のパック）及び作成された管理情報を、データプロセッサ部１５を介してＨＤＤ部１２またはディスクドライブ部１１に供給し、ハードディスク１４または光ディスク１３に記録することができる。
【００２６】
また、ハードディスク１４または光ディスク１３に記録された情報を、データプロセッサ部１５、ディスクドライブ部１１を介して光ディスク１３またはハードディスク１４に記録することもできる。
【００２７】
さらに、ハードディスク１４または光ディスク１３に記録されている複数番組のビデオオブジェクトを、一部削除したり、異なる番組のオブジェクトをつなげたり、といった編集処理を行なうこともできる。
【００２８】
上記マイクロコンピュータブロック１８は、ＣＰＵ（central processing unit）１８Ａと、制御プログラム等が書きこまれたＲＯＭ（read only memory）、プログラム実行に必要なワークエリアを提供するためのＲＡＭ、各種の設定情報が記録される不揮発性メモリ等を含むメモリ部１８Ｂとを含んでいる。
【００２９】
また、マイクロコンピュータブロック１８は、ネットワークＩ／Ｆ（interface）２９を介して、外部ネットワークに接続することが可能である。これにより、外部のサーバから電子番組案内情報（ＤＥＰＧ：dynamic electronic program guide）等を取り込むことも可能である。
【００３０】
さらに、マイクロコンピュータブロック１８のＣＰＵ１８Ａは、メモリ部１８ＢのＲＯＭに格納された制御プログラムに従い、ＲＡＭをワークエリアとして用いて、欠陥場所検出、未記録領域検出、録画情報記録位置設定、ＵＤＦ（universal disk format）記録、ＡＶアドレス設定等を実行する。
【００３１】
また、マイクロコンピュータブロック１８は、記録再生装置の各ブロックを統括して制御するために必要な各種の情報処理部を有する。この情報処理部は、図示しないが、ディレクトリ検出部、ＶＭＧ（video manager）情報（全体のビデオ管理情報）作成部、コピー関連情報検知部、コピー及びスクランブリング情報（ＲＤＩ）処理部、パケットヘッダ処理部、シーケンスヘッダ処理部、アスペクト比情報処理部等を備える。
【００３２】
さらに、マイクロコンピュータブロック１８は、編集を実行する際の管理情報の制御部である編集時管理情報制御部を備えている。
【００３３】
また、マイクロコンピュータブロック１８には、ＥＰＧ生成部１８Ｃ、記録制御部１８Ｄ、予約録画制御部１８Ｅ、手動録画制御部１８Ｆ、番組情報取得部１８Ｇ、ファイル分割部１８Ｈ、録画番組データベース登録部１８Ｉ等が設けられている。これら各制御部１８Ｃ〜１８Ｉの動作については、後で詳しく説明することにする。
【００３４】
マイクロコンピュータブロック１８の実行結果のうち、ユーザに通知すべき内容は、記録再生装置の表示部３０に表示されるか、または、モニターディスプレイ３１にＯＳＤ（on screen display）表示される。
【００３５】
また、マイクロコンピュータブロック１８は、この記録再生装置を操作するための操作信号を与えるキー操作入力部３２を有する。このキー操作入力部３２は、例えば記録再生装置の本体上に設けた操作スイッチ類や、リモートコントローラ等に相当する。また、記録再生装置と有線通信または無線通信（光通信や赤外線通信等を含む）等の手段を用いて接続されたＰＣ（personal computer）であってもよい。いずれの形態であっても、ユーザがこのキー操作入力部３２を操作することにより、入力された映像音声信号の記録処理や、記録されたコンテンツの再生処理、または記録されたコンテンツに対する編集処理等を施すことができる。
【００３６】
なお、マイクロコンピュータブロック１８が、ディスクドライブ部１１、ＨＤＤ部１２、データプロセッサ部１５、エンコーダ部１６及び／またはデコーダ部１７等を制御するタイミングは、ＳＴＣ（system time clock）３４からの時間データに基づいて実行することができる。記録や再生の動作は、通常はＳＴＣ３４からのタイムクロックに同期して実行されるが、それ以外の処理はＳＴＣ３４とは独立したタイミングで実行されてもよい。
【００３７】
デコーダ部１７は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶ（video）デコーダと、セパレータで分離されたオーディオデータ（オーディオパックの内容）をデコードするＡ（audio）デコーダとを有する。また、デコードされた主映像にメニュー、ハイライトボタン、字幕等を重ねて出力するビデオプロセッサを備えている。
【００３８】
デコーダ部１７の出力ビデオ信号は、ビデオミキシング部２７に入力される。ビデオミキシング部２７では、例えばテキストデータの合成が行なわれる。また、ビデオミキシング部２７には、上記ＴＶチューナ部やＡ／Ｖ入力部２２からの信号を直接取り込むラインも接続されている。ビデオミキシング部２７には、バッファとして用いるフレームメモリ部３５が接続されている。ビデオミキシング部２７の出力がアナログ出力の場合はＩ／Ｆ３６を介して外部出力され、デジタル出力の場合はデジタルアナログ変換器３７を介して外部へ出力される。
【００３９】
デコーダ部１７の出力オーディオ信号は、オーディオセレクタ２８を介してデジタルアナログ変換器３８でアナログ変換され外部に出力される。オーディオセレクタ２８は、マイクロコンピュータブロック１８からのセレクト信号により制御される。これにより、オーディオセレクタ２８は、上記ＴＶチューナ部やＡ／Ｖ入力部２２からのデジタル信号を直接モニタするとき、エンコーダ部１６をスルーしたオーディオ信号を直接選択することも可能である。
【００４０】
なお、エンコーダ部１６のフォーマッタ２０では、記録中、各切り分け情報を作成し、定期的にマイクロコンピュータブロック１８のＣＰＵ１８Ａへ送る［ＧＯＰ（group of picture）先頭割り込み時等の情報］。切り分け情報としては、ＶＯＢＵ（video object unit）のパック数、ＶＯＢＵ先頭からのI（intra）ピクチャのエンドアドレス、ＶＯＢＵの再生時間等である。
【００４１】
同時に、図示しないアスペクト情報処理部からの情報が記録開始時にＣＰＵ１８Ａに送られ、ＣＰＵ１８ＡはＶＯＢ（video object）ストリーム情報（ＳＴＩ：stream information）を作成する。ここでＳＴＩは、解像度データ、アスペクトデータ等を保存し、再生時に、各デコーダ部ではこの情報を元に初期設定が行なわれる。
【００４２】
また、この記録再生装置では、ＤＶＤに記録するビデオファイルは１ディスクに１ファイルとしている。さらに、データをアクセス（シーク）している間に、途切れないで再生を続けるために、最低限連続する情報単位（サイズ）を決めている。この単位は、ＣＤＡ（contiguous data area）と称される。ＣＤＡサイズは、ＥＣＣ（error correcting code）ブロック（１６セクタ）の倍数であり、ファイルシステムではこのＣＤＡ単位で記録を行なっている。
【００４３】
データプロセッサ部１５は、エンコーダ部１６のフォーマッタ２０からＶＯＢＵ単位のデータを受け取り、ＣＤＡ単位のデータをディスクドライブ部１１あるいはＨＤＤ部１２に供給している。
【００４４】
また、マイクロコンピュータブロック１８のＣＰＵ１８Ａは、記録したデータを再生するのに必要な管理情報を作成し、データ記録終了のコマンドを認識すると、作成した管理情報をデータプロセッサ部１５に送る。これにより、管理情報が光ディスク１３またはハードディスク１４に記録される。このため、エンコードが行なわれているとき、マイクロコンピュータブロック１８のＣＰＵ１８Ａは、エンコーダ部１６からデータ単位の情報（切り分け情報等など）を受け取る。
【００４５】
さらに、マイクロコンピュータブロック１８のＣＰＵ１８Ａは、記録開始時に、光ディスク１３及びハードディスク１４から読み取った管理情報（ファイルシステム）を認識して、各ディスクの未記録エリアを認識することにより、データプロセッサ部１５を介してデータの記録エリアをディスクに設定している。
【００４６】
次に、この記録再生装置における番組推薦機能に関する特徴的な構成及び動作について説明する。  
ＥＰＧ生成部１８Ｃは、放送ストリームに重畳されている番組配列情報｛SI（Service Information）｝に基づいてＥＰＧを作成する。
【００４７】
記録制御部１８Ｄは、予約録画制御部１８Ｅまたは手動録画制御部１８Ｆの制御の下に一つの映像ファイルをＨＤＤに記録する。
【００４８】
予約録画制御部１８Ｅは、予約録画設定データベースに登録されている予約録画セッテに基づいて、記録制御部１８Ｄを制御して、番組の予約録画を行う。予約録画制御部１８Ｅは、番組Ａの録画開始時間の例えば１分前に、番組Ａの後に放映される同一の放送局（番組プロバイダ）から放映される番組Ｂが予約されているかを判定する（図２）。番組Ｂが予約されている場合、番組Ａおよび番組Ｂの予約録画の設定を削除し、番組Ａおよび番組Ｂを連続して録画する設定を登録する。
【００４９】
手動録画制御部１８Ｆは、リモートコントローラ等で録画操作が行われた場合、記録制御部１８Ｄを制御し、現在モニタ３１に表示されているチャンネルの記録を開始させる。また、録画操作されてから一定時間（例えば、１時間）経過した後、記録制御部１８Ｄを制御し、記録を停止させる。また、手動録画制御部１８Ｆは、ＥＰＧに基づいて、記録が開始されてから一定時間の間に、複数の番組が放映されているかを判定する。例えば、図３に示すように、一定時間（１時間）複数の番組（番組Ａ、番組Ｂ）が放映されていると判定した場合、手動録画判定部は、記録終了後に、ファイル分割部１８Ｈに一つの映像ファイルを番組毎に分割するように指示する。
【００５０】
また、番組情報取得部１８Ｇは、予約録画制御部１８Ｅまたは手動録画制御部１８Ｆの指令に応じて、番組の記録中に放送ストリームに重畳されているイベント情報テーブル［EIT（Event Information Table）］パケットから番組の開始時刻、番組長、番組名、出演者、番組のジャンルなどを含む番組情報を取得し、取得した番組情報をＨＤＤに格納する。
【００５１】
予約録画制御部１８Ｅおよび手動録画制御部１８Ｆは、記録制御部１８Ｄによって複数の番組（番組Ａ、番組Ｂ）を含む映像ファイル４０１（図４）がＨＤＤに記録された場合、映像ファイル４０１の格納箇所、ＥＰＧに含まれる番組Ｂの放映開始時間に基づいた分割位置をファイル分割部１８Ｈに送信し、映像ファイル４０１の分割を指示する。ファイル分割部１８Ｈは、予約録画制御部１８Ｅまたは手動録画制御部１８Ｆの指令に応じて、一つの映像ファイルを分割し、二つの映像ファイルＡ５０１および映像ファイルＢ５０２を生成する（図５）。映像ファイルＡ５０１は番組Ａを含み、映像ファイルＢ５０２は番組Ｂを含む。
【００５２】
録画番組データベース登録部１８Ｉは、図６に示すように、録画番組データベースに番組Ａの番組情報Ａの格納場所を示すデータと映像ファイルＡ６０１の格納場所を示すデータとを関連づけられた情報を登録する。また、録画番組データベース登録部１８Ｉは、録画番組データベースに番組Ｂの番組情報Ｂの格納場所を示すデータと第２の映像ファイルＢ６０２の格納場所を示すデータとを関連づけられた情報を登録する。
【００５３】
次に、予約録画時の処理の手順について図７のフローチャートを説明する。  
先ず、予約録画制御部１８Ｅは、番組Ａの録画開始時間の例えば１分前に、番組Ａの後に同一放送局から放映される番組Ｂが予約されているかを判定する(ステップ７０１)。
【００５４】
番組Ｂが予約されていないと判定した場合（ステップ７０１のＮｏ）、予約録画制御部１８Ｅは、新たな予約録画設定に基づいて番組Ａの放映開始時間または放映開始時間の直前になったら、記録制御部１８Ｄに番組Ａを放映するチャンネルの録画を指示し、記録制御部１８Ｄが録画を開始する（ステップ７１１）。予約録画制御部１８Ｅは番組情報取得部１８Ｇに現在放映されている番組Ａの番組情報の取得を指示する。番組情報取得部１８Ｇは、予約録画制御部１８Ｅからの指示に応じて、番組Ａの番組情報を取得し、番組情報ＡをＨＤＤに格納する（ステップ７１２）。番組Ｂの放映終了時間になったら、予約録画制御部１８Ｅは、記録制御部１８Ｄに記録の停止を指示する（ステップ７１３）。予約録画制御部１８Ｅは、番組情報Ａと映像ファイルＡとを関連づけられた情報の録画番組データベースへの登録を録画番組データベース登録部１８Ｉに指示する。録画番組データベース登録部１８Ｉは、録画番組データベース登録部１８Ｉに番組情報Ａと映像ファイルＡとを関連づけられた情報の録画番組データベースに登録する（ステップ７１４）。
【００５５】
ステップ７０１において番組Ｂが予約されていると判定した場合、予約録画制御部１８Ｅは、予約録画設定データベースから番組Ａおよび番組Ｂの予約録画の設定を削除し（ステップ７０２）、予約録画設定データベースに番組Ａおよび番組Ｂを連続して録画する設定を登録する（ステップ７０３）。
【００５６】
予約録画制御部１８Ｅは、新たな予約録画設定に基づいて番組Ａの放映開始時間または放映開始時間の直前になったら、記録制御部１８Ｄに番組Ａを放映するチャンネルの録画を指示し、記録制御部１８Ｄが録画を開始する（ステップ７０４）。予約録画制御部１８Ｅは番組情報取得部１８Ｇに現在放映されている番組Ａの番組情報の取得を指示する。番組情報取得部１８Ｇは、予約録画制御部１８Ｅからの指示に応じて、番組Ａの番組情報を取得し、番組情報ＡをＨＤＤに格納する（ステップ７０５）。番組Ｂの放映開始時間後に、予約録画制御部１８Ｅは、番組情報取得部１８Ｇに現在放映されている番組Ｂの番組情報の取得を指示する。番組情報取得部１８Ｇは、予約録画制御部１８Ｅからの指示に応じて、番組Ｂの番組情報を取得し、番組情報ＢをＨＤＤに格納する（ステップ７０６）。番組Ｂの放映終了時間になったら、予約録画制御部１８Ｅは、記録制御部１８Ｄに記録の停止を指示する（ステップ７０７）。
【００５７】
予約録画制御部１８Ｅは、記録制御部１８Ｄによって記録された映像ファイルのファイル名、および分割位置をファイル分割部１８Ｈに送信することによって映像ファイルの分割を指示する。ファイル分割部１８Ｈは、予約録画制御部１８Ｅに指示に応じて、映像ファイルを分割する（ステップ７０８）。
【００５８】
予約録画制御部１８Ｅは、番組情報Ａと映像ファイルＡとを関連づけられた情報の録画番組データベースへの登録を録画番組データベース登録部１８Ｉに指示する。録画番組データベース登録部１８Ｉは、録画番組データベース登録部１８Ｉに番組情報Ａと映像ファイルＡとを関連づけられた情報の録画番組データベースに登録する。予約録画制御部１８Ｅは、番組情報Ｂと映像ファイルＢとを関連づけられた情報の録画番組データベースへの登録を録画番組データベース登録部１８Ｉに指示する。録画番組データベース登録部１８Ｉは、録画番組データベース登録部１８Ｉに番組情報Ｂと映像ファイルＢとを関連づけられた情報の録画番組データベースに登録する（ステップ７０９）。
【００５９】
以上の処理で、同一チャンネルの連続する番組の予約録画が設定されている場合であっても、前に予約録画の設定されている番組Ａの最後まで記録された映像ファイルを得ることが可能になる。
【００６０】
次に、手動録画時の処理の手順について図７のフローチャートを説明する。  
先ず、手動録画制御部１８Ｆは、リモートコントローラ等で録画操作が行われた場合、記録制御部１８Ｄを制御し、現在モニタ３１に表示されているチャンネルの記録を開始させる。手動録画制御部１８Ｆは、ＥＰＧに基づいて、記録が開始されてから一定時間の間に、複数の番組が放映されているかを判定する（ステップ８０１）。
【００６１】
複数の番組が放送されていないと判定した場合（ステップ８０１のＮｏ）、手動録画制御部１８Ｆは番組情報取得部１８Ｇに現在放映されている番組Ａの番組情報の取得を指示する。番組情報取得部１８Ｇは、手動録画制御部１８Ｆからの指示に応じて、番組Ａの番組情報を取得し、番組情報ＡをＨＤＤに格納する（ステップ８１１）。また、録画操作されてから一定時間（例えば、１時間）経過したら、手動録画制御部１８Ｆは、記録制御部１８Ｄに記録の停止を指示する（ステップ８１２）。手動録画制御部１８Ｆは、番組情報Ａと映像ファイルＡとを関連づけられた情報の録画番組データベースへの登録を録画番組データベース登録部１８Ｉに指示する。録画番組データベース登録部１８Ｉは、録画番組データベース登録部１８Ｉに番組情報Ａと映像ファイルＡとを関連づけられた情報の録画番組データベースに登録する（ステップ８１３）。
【００６２】
ステップ８０１において複数の番組が放送されていないと判定した場合（ステップ８０１のＹｅｓ）、手動録画制御部１８Ｆは、番組情報取得部１８Ｇに現在放映されている番組Ａの番組情報の取得を指示する。番組情報取得部１８Ｇは、手動録画制御部１８Ｆからの指示に応じて、番組Ａの番組情報を取得し、番組情報ＡをＨＤＤに格納する（ステップ８０２）。番組Ｂの放映開始時間後に、手動録画制御部１８Ｆは、番組情報取得部１８Ｇに現在放映されている番組Ｂの番組情報の取得を指示する。番組情報取得部１８Ｇは、手動録画制御部１８Ｆからの指示に応じて、番組Ｂの番組情報を取得し、番組情報ＢをＨＤＤに格納する（ステップ８０３）。録画操作されてから一定時間（例えば、１時間）経過した後、手動録画制御部１８Ｆは、記録制御部１８Ｄに記録の停止を指示する（ステップ８０４）。
【００６３】
手動録画制御部１８Ｆは、記録制御部１８Ｄによって記録された映像ファイルのファイル名、および分割位置をファイル分割部１８Ｈに送信することによって映像ファイルの分割を指示する。ファイル分割部１８Ｈは、手動録画制御部１８Ｆに指示に応じて、映像ファイルを分割する（ステップ８０５）。
【００６４】
手動録画制御部１８Ｆは、番組情報Ａの格納場所と映像ファイルＡの格納場所とが関連づけられた情報の録画番組データベースへの登録を録画番組データベース登録部１８Ｉに指示する。録画番組データベース登録部１８Ｉは、録画番組データベース登録部１８Ｉに番組情報Ａの格納場所と映像ファイルＡの格納場所とを関連づけた情報を録画番組データベースに登録する。手動録画制御部１８Ｆは、番組情報Ｂの格納場所と映像ファイルＢの格納場所とを関連づけた情報の録画番組データベースへの登録を録画番組データベース登録部１８Ｉに指示する。録画番組データベース登録部１８Ｉは、録画番組データベース登録部１８Ｉに番組情報Ｂの格納場所と映像ファイルＢの格納場所とを関連づけた情報を録画番組データベースに登録する（ステップ８０６）。
【００６５】
以上の処理で、手動で録画が開始されてから録画が自動的に停止するまでの間に複数の番組が放映されている場合であっても、各番組の番組情報が関連づけられた映像ファイルをＨＤＤに格納することが可能になる。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６７】
１８Ｃ…ＥＰＧ生成部、１８Ｅ…予約録画制御部、１８Ｆ…手動録画制御部、１８Ｇ…番組情報取得部、１８Ｈ…ファイル分割部、１８Ｉ…録画番組データベース登録部。
【図１】
2013051634.tif 000003
【図２】
2013051634.tif 000004
【図３】
2013051634.tif 000005
【図４】
2013051634.tif 000006
【図５】
2013051634.tif 000007
【図６】
2013051634.tif 000008
【図７】
2013051634.tif 000009
【図８】
2013051634.tif 000010